(57)【要約】【課題】  バラスト水配管を介さずにバラスト水を排水するバラスト水排水機構を有する船舶にも適用可能な、船舶バラスト水の処理システムおよび処理方法を提供する。【解決手段】  活性物質を利用してバラスト水の殺菌処理を行うバラスト水の処理システム１００は、バラストタンク３に注水された活性物質を含有するバラスト水を循環させる循環流路６と、循環流路６を循環するバラスト水中の活性物質を除去する活性物質除去手段５とを備える。【選択図】  図１
2015016761.tif 000002
【特許請求の範囲】
【請求項１】
活性物質を利用してバラスト水の殺菌処理を行うバラスト水の処理システムであって、
バラストタンクに注水されたバラスト水を循環させる循環流路と、
前記循環流路を循環するバラスト水中の前記活性物質を除去する活性物質除去手段とを備えることを特徴とするバラスト水の処理システム。
【請求項２】
前記活性物質除去手段が、前記活性物質を中和処理する中和処理手段、前記活性物質を分解処理する分解処理手段、又は前記活性物質を吸着処理する吸着処理手段であることを特徴とする請求項１に記載のバラスト水の処理システム。
【請求項３】
前記活性物質が塩素であることを特徴とする請求項１又は２に記載のバラスト水の処理システム。
【請求項４】
活性物質を利用してバラスト水の殺菌処理を行うバラスト水の処理方法であって、
バラストタンクに注水されたバラスト水を循環させながらバラスト水中の前記活性物質を除去することを特徴とするバラスト水の処理方法。
【請求項５】
前記活性物質を中和処理、分解処理又は吸着処理によって除去することを特徴とする請求項４に記載のバラスト水の処理方法。
【請求項６】
前記活性物質が塩素であることを特徴とする請求項４又は５に記載のバラスト水の処理方法。
【発明の詳細な説明】
【技術分野】
【０００１】
本発明は、バラスト水中の活性物質をバラスト水排水前に除去するバラスト水の処理システムおよびバラスト水の処理方法に関する。
【背景技術】
【０００２】
一般に船舶、特に貨物船は、積載貨物などの重量を含めて設計されているため、空荷または積荷が少ない状態の船舶は、プロペラ没水深度の確保、空荷時における安全航行の確保等の必要性から、出港前に港において海水を取水して船舶のバランスを取るが、このバラストとして用いられる水のことをバラスト水とよぶ。このバラスト水は、無積載で出港するとき、その出港地で港の海水などをバラストタンクに積み込む一方、逆に港内で積荷をするときには、バラスト水の排水を行う。
【０００３】
ところで、環境の異なる荷積み港と荷下し港との間を往復する船舶によってバラスト水の注排水が行われると、荷積み港と荷下し港におけるバラスト水に含まれる微生物の差異により沿岸生態系に悪影響を及ぼすことが懸念されている。そこで、船舶のバラスト水管理に関する国際会議において２００４年２月に船舶のバラスト水及び沈殿物の規制及び管理のための国際条約（バラスト水管理条約）が採択され、バラスト水の処理が義務付けられることとなった。
【０００４】
バラスト水の処理基準として国際海事機構（ＩＭＯ）が定める基準（Ｄ−２基準）は、船舶から排出されるバラスト水に含まれる５０μｍ以上の生物（主に動物プランクトン）の数が１ｍ３中に１０個未満、１０μｍ以上５０μｍ未満の生物（主に植物プランクトン）の数が１ｍｌ中に１０個未満、コレラ菌の数が１００ｍｌ中に１ｃｆｕ未満、大腸菌の数が１００ｍｌ中に２５０ｃｆｕ未満、腸球菌の数が１００ｍｌ中に１００ｃｆｕ未満となっている。
【０００５】
また、バラスト水管理条約では、塩素や塩素系の殺菌剤、過酸化水素、オゾン等の活性物質をバラスト水処理に用いる場合、バラスト水排水時の活性物質濃度にも基準が設けられている。このようなバラスト水の処理基準を満たすために、バラスト水処理システムとして、塩素系の殺菌剤、過酸化水素、オゾン等の活性物質（殺菌剤）の貯蔵装置もしくはこれらの船上生成装置と、これら活性物質のバラスト水への添加装置と、バラスト水の排出時にバラスト水に残存する活性物質を除去するための手段としての活性物質除去手段とを組み合わせたシステムが採用されることが多い。例えば、特許文献１には、バラスト水に次亜塩素酸ナトリウムや次亜塩素酸カルシウムなどの塩素系の殺菌剤を添加して、滞留時間を確保することにより微生物等を殺菌するともに、亜硫酸ナトリウムやチオ硫酸ナトリウム等の塩素還元剤を添加するバラスト水の処理システムが開示されている。
【０００６】
このようなバラスト水の処理システムにおいては、微生物等が再び増殖してしまわないように、航海中はバラストタンク内に適切な濃度で活性物質を残存させる必要がある。その一方で荷積み港でのバラスト水排水前には、前述のようにバラスト水中の活性物質を除去することが必要となるため、従来は、バラスト水の排水流路においてバラスト水から活性物質を除去することが多かった。例えば、特許文献２には、電解水生成装置により海水の一部を電気分解して次亜塩素酸を含む電解水を生成し、バラスト水に注入することにより微生物等を殺菌するともに、残留塩素除去のためにバラスト水の排水流路に中和剤を投入する中和剤投入装置を備えたバラスト水処理装置が開示されている。
【先行技術文献】
【特許文献】
【０００７】
【特許文献１】特開２００９−２９７６１０号公報
【特許文献２】特開２０１１−１７３０５８号公報
【発明の開示】
【発明が解決しようとする課題】
【０００８】
しかしながら、船舶によっては、グラビティ排水やエダクタ排水のように、バラスト水注排水用の配管を介さずに排水するバラスト水排水機構を備えたものがある。例えば、グラビティ排水では、バラスト水の一部はバラスト水配管を介して排出されるものの、残りのバラスト水は、船体に設けられた排出口から水圧を利用して直接船外へと排出される。従来のバラスト水処理装置においては、中和剤はバラスト水配管においてバラスト水へと投入されるため、上述のようにバラスト水配管を介さずに排水する場合には必要な中和処理が事実上実施できないという問題がある。また、バラスト水量は船舶によっては数万トンにも及ぶため、バラストタンクへ直接中和剤を投入しても、バラスト水全体に反応を及ぼして残留塩素を除去することは事実上できないという問題がある。
【０００９】
本発明は、かかる課題を解決して、バラスト水配管を介さずにバラスト水を排水するバラスト水排水機構を有する船舶にも適用可能な、バラスト水中の活性物質をバラスト水排水前に除去するバラスト水の処理システムおよびバラスト水の処理方法を提供することを目的とする。
【課題を解決するための手段】
【００１０】
上記課題を解決するために、第一に本発明は、活性物質を利用してバラスト水の殺菌処理を行うバラスト水の処理システムであって、バラストタンクに注水されたバラスト水を循環させる循環流路と、前記循環流路を循環するバラスト水中の前記活性物質を除去する活性物質除去手段とを備えることを特徴とするバラスト水の処理システムを提供する（発明１）。
【００１１】
上記発明（発明１）によれば、循環流路を用いてバラスト水を循環させながらバラスト水中の活性物質を除去することができるため、バラスト水配管を介さずにバラスト水を排水するバラスト水排水機構を有する船舶であっても、バラスト水排水時の活性物質濃度の基準を満たすようにバラスト水中の活性物質を除去したバラスト水を、当該バラスト水排水機構から直接船外へと排出することができる。
【００１２】
上記発明（発明１）においては、前記活性物質除去手段が、前記活性物質を中和処理する中和処理手段、前記活性物質を分解処理する分解処理手段、又は前記活性物質を吸着処理する吸着処理手段であることが好ましい（発明２）。
【００１３】
上記発明（発明１，２）においては、前記活性物質が塩素であることが好ましい（発明３）。
【００１４】
第二に本発明は、活性物質を利用してバラスト水の殺菌処理を行うバラスト水の処理方法であって、バラストタンクに注水されたバラスト水を循環させながらバラスト水中の前記活性物質を除去することを特徴とするバラスト水の処理方法を提供する（発明４）。
【００１５】
上記発明（発明４）によれば、バラスト水を循環させながらバラスト水中の活性物質を除去することができるため、バラスト水配管を介さずにバラスト水を排水するバラスト水排水機構を有する船舶であっても、バラスト水排水時の活性物質濃度の基準を満たすようにバラスト水中の活性物質を除去したバラスト水を、当該バラスト水排水機構から直接船外へと排出することができる（発明４）。
【００１６】
上記発明（発明４）においては、前記活性物質を中和処理、分解処理又は吸着処理によって除去することが好ましい（発明５）。
【００１７】
上記発明（発明４，５）においては、前記活性物質が塩素であることが好ましい（発明６）。
【発明の効果】
【００１８】
本発明のバラスト水の処理システム及びバラスト水の処理方法によれば、バラスト水を循環させながらバラスト水中の活性物質を除去することができるため、バラスト水配管を介さずにバラスト水を排水するバラスト水排水機構を有する船舶であっても、バラスト水排水時の活性物質濃度の基準を満たすようにバラスト水中の活性物質を除去したバラスト水を、当該バラスト水排水機構から直接船外へと排出することができる。
【図面の簡単な説明】
【００１９】
【図１】本発明の第１の実施形態に係るバラスト水の処理システムを概略的に示すフロー図である。
【図２】本発明の第２の実施形態に係るバラスト水の処理システムを概略的に示すフロー図である。
【発明を実施するための形態】
【００２０】
［第１の実施形態］
以下、図１を参照して本発明の第１の実施形態のバラスト水の処理システムについて説明する。
【００２１】
図１において、船舶バラスト水処理システム１００は、荷下し港においてはバラスト水としての原水を取水するとともに、荷積み港においてはバラスト水を排水するための取排水部１と、この取排水部１に接続したバラスト水を送給するメインライン２と、このメインライン２の末端に設けられたバラストタンク３とを備え、メインライン２の途中には送水手段としてのバラストポンプ（図示しない）が設けられている。
【００２２】
また、メインライン２の途中のバラストタンク３寄りの位置において、活性物質である殺菌剤を供給する殺菌剤供給装置４が殺菌剤供給ライン４ａを介して接続されている。さらに、メインライン２の途中の取排水部１寄りの位置において、バラスト水中の活性物質を中和する中和剤を供給する中和剤供給装置５が中和剤供給ライン５ａを介して接続されている。加えて、バラストタンク３からメインライン２の途中の取排水部１と中和剤供給装置５の間の位置へと接続された循環ライン６が設けられている。
【００２３】
メインライン２の取排水部１との接続部近傍には開閉弁７が設けられている。開閉弁７の設けられている位置は循環ライン６がメインライン２に接続する位置よりも取排水部１寄りとなっている。また、循環ライン６のバラストタンク３との接続部近傍には循環ライン入口弁８が、循環ライン６のメインライン２との接続部近傍には循環ライン出口弁９が設けられている。
【００２４】
次に、図１に示された船舶バラスト水処理システム１００を用いて、バラスト水の積込み時に細菌類やプランクトンの殺滅処理を行うとともに、バラスト水の排水時に活性物質の除去処理を行うバラスト水の処理方法について以下説明する。
【００２５】
まず、出港の際の原水（バラスト水）の注水時には、取排水部１を開放し、開閉弁７を開成した状態でバラストポンプを駆動することにより、バラスト水を取排水部１からメインライン２を通過してバラストタンク３に注入する。このとき、殺菌剤供給装置４から殺菌剤溶液を供給してメインライン２に合流させる。このようにしてバラストタンク３に殺菌剤溶液を供給することにより、殺菌剤から発生する有効塩素によりバラスト水中のプランクトンや細菌類を死滅させることができる。
【００２６】
上記殺菌剤としては、オゾン、ハロゲン系化合物、過酸化水素などの過酸化物及び過酢酸などを用いることができ、これらの中では、ハロゲン系化合物が好ましい。ハロゲン系化合物としては、次亜塩素酸ナトリウム、次亜塩素酸カルシウムなどの次亜塩素酸塩、ジクロロイソシアヌル酸、トリクロロイソシアヌル酸などのイソシアヌル酸、二酸化塩素などを用いることができる。特に次亜塩素酸ナトリウム、次亜塩素酸カルシウム及びジクロロイソシアヌル酸を用いるのが好ましい。
【００２７】
次に、着港又は寄港の際のバラスト水の排出時について説明する。バラスト水をバラストタンク３から排出する際には、まず開閉弁７を閉鎖し、循環ライン入口弁８及び循環ライン出口弁９を開成した状態でバラストポンプを駆動する。これにより、バラストタンク３内のバラスト水が循環ライン６からメインライン２を経てバラストタンク３へと循環する循環流路がシステム内に形成される。このようにバラスト水が循環している状態で、バラスト水中の残留塩素濃度に応じて中和剤供給装置５からメインライン２に中和剤を供給することにより、バラスト水を環境に安全な状態で排水できるレベルにまでバラスト水中の残留塩素濃度を低減することができる。
【００２８】
上記中和剤は活性物質に応じて適宜選択されればよく、例えば活性物質が塩素の場合は、亜硫酸ナトリウム、重亜硫酸ナトリウム（亜硫酸水素ナトリウム）、チオ硫酸ナトリウムなどを用いることができる。特に亜硫酸ナトリウムを用いるのが好ましい。
【００２９】
バラスト水を排水できるレベルにまでバラスト水中の残留塩素濃度を低減した後、取排水部１を開放し、開閉弁７を開成した状態でバラストポンプを駆動することにより、バラストタンク３内のバラスト水がメインライン２を経て取排水部１から排出される。また、グラビティ排水やエダクタ排水のように、メインライン２を介さずに排水するバラスト水排水機構を備えている場合であっても、既にバラスト水中の残留塩素濃度はバラスト水を環境に安全な状態で排水できるレベルにまで低減されているため、メインライン２を経ずにバラスト水を当該バラスト水排水機構から直接船外へと排出しても問題がない。
【００３０】
［第２の実施形態］
次に、図２を参照して本発明の第２の実施形態のバラスト水の処理システムについて説明する。なお、図２において、第１の実施形態と同じ構成要素については同じ符号を用いて記載している。
【００３１】
図２に示すように、本発明の第２の実施形態のバラスト水の処理システム２００は、第１の実施形態のバラスト水の処理システム１００における殺菌剤供給装置４及び殺菌剤供給ライン４ａの代わりにメインライン２の途中に電気分解装置１０が設けられていることと、第１の実施形態のバラスト水の処理システム１００における中和剤供給装置５及び中和剤供給ライン５ａの代わりに循環ライン６の途中に吸着材としての活性炭を充填した吸着塔１１が設けられていることとを除けば、第１の実施形態のバラスト水の処理システム１００と同じ構成要素から構成されている。
【００３２】
図２に示された船舶バラスト水処理システム２００を用いて、バラスト水の積込み時に細菌類やプランクトンの殺滅処理を行うとともに、バラスト水の排水時に活性物質の除去処理を行うバラスト水の処理方法について以下説明する。
【００３３】
まず、出港の際の原水（バラスト水）の注水時には、取排水部１を開放し、開閉弁７を開成した状態でバラストポンプを駆動することにより、バラスト水を取排水部１からメインライン２を通過してバラストタンク３に注入する。このとき、メインライン２の途中の電気分解装置１０により海水であるバラスト水を部電気分解して電解塩素を発生させる。このようにして発生させた電解塩素によりバラスト水中のプランクトンや細菌類を死滅させることができる。
【００３４】
次に、着港又は寄港の際のバラスト水の排出時について説明する。バラスト水をバラストタンク３から排出する際には、まず開閉弁７を閉鎖し、循環ライン入口弁８及び循環ライン出口弁９を開成した状態でバラストポンプを駆動する。これにより、バラストタンク３内のバラスト水が循環ライン６からメインライン２を経てバラストタンク３へと循環する循環流路がシステム内に形成される。この循環ライン６の途中には活性炭が充填された吸着塔１１が設けられていおり、バラスト水中の残留塩素は活性炭に吸着されるため、バラスト水を循環させることによってバラスト水を環境に安全な状態で排水できるレベルにまでバラスト水中の残留塩素濃度を低減することができる。
【００３５】
バラスト水を排水できるレベルにまでバラスト水中の残留塩素濃度を低減した後、取排水部１を開放し、開閉弁７を開成した状態でバラストポンプを駆動することにより、バラストタンク３内のバラスト水がメインライン２を経て取排水部１から排出される。また、グラビティ排水やエダクタ排水のように、メインライン２を介さずに排水するバラスト水排水機構を備えている場合であっても、既にバラスト水中の残留塩素濃度はバラスト水を環境に安全な状態で排水できるレベルにまで低減されているため、メインライン２を経ずにバラスト水を当該バラスト水排水機構から直接船外へと排出しても問題がない。
【００３６】
以上、本発明について添付図面を参照して説明してきたが、本発明は上記実施形態に限定されず、種々の変形実施が可能である。例えば、活性物質を除去する手段は、中和剤供給装置５のような中和処理手段や吸着塔１１のような吸着処理手段に限られるものではなく、例えば触媒を用いて残留塩素を分解する触媒分解装置のような分解処理手段を循環ライン６の途中に設けてもよい。
【００３７】
また、上記実施形態においては、バラスト水の注水時にも排水時にもメインライン２をバラスト水の送給ラインとして兼用しているが、注水用配管と排水用配管とを別々に設けていてもよい。
【００３８】
中和剤や吸着材、触媒は上記実施形態で述べたものに限定されず、除去対象の活性物質に応じて適当なものが選択されればよい。
【産業上の利用可能性】
【００３９】
本発明のバラスト水の処理システム及び処理方法は、バラスト水配管を介さずにバラスト水を排水するバラスト水排水機構を有する船舶のバラスト水の処理に好適に使用できる。
【符号の説明】
【００４０】
１００，２００…バラスト水処理システム
１…取排水部
２…メインライン
３…バラストタンク
４…殺菌剤供給装置
５…中和剤供給装置
６…循環ライン
７…開閉弁
８…循環ライン入口弁
９…循環ライン出口弁
１０…電気分解装置
１１…吸着塔
【図１】
2015016761.tif 000003
【図２】
2015016761.tif 000004